(57)【要約】【課題】液晶装置等の電気光学装置において、画像表示領域の面積をそのまま確保しながら小型化する。【解決手段】電気光学装置は、一対の第１及び第２基板が貼り合わされてなり、第１基板は、その第１辺において平面的に見て第２基板より張り出した張出部を有する。第１基板に、複数の画素部、走査線駆動回路、データ線駆動回路、複数の外部回路接続端子及び画像信号線を含む複数の引回配線を備える。第１及び第２基板間に、シール領域において第１及び第２基板を相互に貼り合わせるシール材を備える。画像信号線のうち第１基板上で平面的に見てデータ線駆動回路及び画像表示領域間に第１辺に沿って配線された第１配線部分は少なくとも部分的に、シール領域内に配線されている。【選択図】図３
2006259691.tif 000002
【特許請求の範囲】
【請求項１】
一対の第１及び第２基板が貼り合わされてなり、前記第１基板は、その第１辺において平面的に見て前記第２基板より張り出した張出部を有する電気光学装置であって、
前記第１基板に、画素領域に配列されており画素電極を夫々有する複数の画素部と、
前記画素領域の周辺に位置する周辺領域において、前記第１辺に沿って配置されており前記画素部に画像信号を供給するためのデータ線駆動回路と、
前記周辺領域のうち前記張出部上にある領域において前記第１辺に沿って配列された複数の外部回路接続端子と、
前記複数の外部回路接続端子から前記データ線駆動回路の周囲に沿って引き回されており前記データ線駆動回路と前記画素領域との間で前記第１辺の方向に配線された第１配線部分を有する画像信号線と、
前記画素領域の周囲に沿ったシール領域において前記第１及び第２基板を相互に貼り合わせるシール材と、を備え、
前記第１配線部分は少なくとも部分的に、前記シール領域内に配線されている
ことを特徴とする電気光学装置。
【請求項２】
前記画像信号は、シリアル−パラレル変換された複数の画像信号であり、前記第１配線部分は、前記複数の画像信号を供給するための複数の配線からなり、
複数の前記第１配線部分は夫々、前記シール領域内に配置されている
ことを特徴とする請求項１に記載の電気光学装置。
【請求項３】
前記画像信号は、シリアル−パラレル変換された複数の画像信号であり、前記第１配線部分は、前記複数の画像信号を供給するための複数の第１配線部分であり、
前記複数の第１配線部分は、前記シール領域内に存在する部分の各面積が相互に均等となるように配置されている
ことを特徴とする請求項１に記載の電気光学装置。
【請求項４】
前記画像信号線は、前記第１配線部分から前記画素領域側に向かって引き出された引出配線部分を更に有し、
前記引出配線部分は、少なくとも部分的に、前記シール領域内に配置されていることを特徴とする請求項１から３のいずれか一項に記載の電気光学装置。
【請求項５】
前記第２基板に、前記複数の画素部が夫々有する前記画素電極に共通に対向するように形成されていると共に前記第１配線部分に対向する領域において切り欠かれている対向電極を備える
ことを特徴とする請求項１から４のいずれか一項に記載の電気光学装置。
【請求項６】
前記画像信号は、シリアル−パラレル展開された複数の画像信号であり、前記第１配線部分は、前記複数の画像信号を供給するための複数の第１配線部分であり、
前記対向電極は、前記複数の第１配線部分に対向する領域には夫々部分的に対向しないように且つ前記複数の第１配線部分に対向する部分の各面積が相互に均等となるように、切り欠かれている
ことを特徴とする請求項５に記載の電気光学装置。
【請求項７】
前記第１基板に、前記対向電極に対向電極電位を供給するための上下導通端子を更に備え、
前記対向電極は、その切り欠かれている部分の脇において、前記上下導通端子に対向する領域にまで延在しており、
前記第１及び第２基板間に、前記上下導通端子と前記対向電極における延在している部分とを電気的に相互接続する上下導通材を更に備える
ことを特徴とする請求項５又は６に記載の電気光学装置。
【請求項８】
前記シール材には、前記第１及び第２基板間の基板間ギャップを規定するためのギャップ材が混入されており、
前記第１基板上において、前記第１配線部分の上層側に配置された膜に対して、平坦化処理が施されている
ことを特徴とする請求項１から７のいずれか一項に記載の電気光学装置。
【請求項９】
前記第１基板上に、前記画像信号線を介して供給される前記画像信号を、前記データ線駆動回路から供給されるサンプリング回路駆動信号に応じてサンプリングして、前記データ線に供給するサンプリング回路を更に備え、
前記データ線駆動回路は、前記周辺領域のうち、前記シール領域よりも前記画素領域から遠い側の領域に配置されており、
前記サンプリング回路は、前記周辺領域のうち、前記シール領域よりも前記画素領域に近い側に配置されている
ことを特徴とする請求項８に記載の電気光学装置。
【請求項１０】
請求項１から９のいずれか一項に記載の電気光学装置を具備してなることを特徴とする電子機器。
【請求項１１】
一対の第１及び第２基板が貼り合わされてなり、前記第１基板は、その第１辺において平面的に見て前記第２基板より張り出した張出部を有する電気光学装置を製造する電気光学装置の製造方法であって、
前記第１基板に、画素領域に配列されており画素電極を夫々有する複数の画素部と、前記画素領域の周辺に位置する周辺領域において前記第１基板の前記第１辺に隣接する少なくとも一つの第２辺に沿って配置されており走査線を介して前記画素部を駆動するための走査線駆動回路と、前記周辺領域において前記第１辺に沿って配置されておりデータ線を介して前記画素部を駆動するためのデータ線駆動回路と、前記周辺領域のうち前記張出部上にある領域において前記第１辺に沿って配列された複数の外部回路接続端子と、前記複数の外部回路接続端子から引き回されており前記第１基板上で平面的に見て前記データ線駆動回路及び前記画素領域間に前記第１辺に沿って配線された第１配線部分を有する画像信号線を含む複数の引回配線とを形成する形成工程と、
前記周辺領域のうち前記画素領域の周囲に沿ったシール領域において、シール材で、前記第１及び第２基板を相互に貼り合わせる貼合工程と
を備え、
前記形成工程は、前記第１配線部分を少なくとも部分的に、前記シール領域内に形成する
ことを特徴とする電気光学装置の製造方法。
【発明の詳細な説明】
【技術分野】
【０００１】
本発明は、例えば液晶装置等の電気光学装置及びその製造方法、並びに該電気光学装置を備えた例えば液晶プロジェクタ等の電子機器の技術分野に関する。
【背景技術】
【０００２】
この種の電気光学装置では、例えばＴＦＴアレイ基板上に、マトリクス状に配列された複数の画素電極を備えており、これらの配列された平面領域が画像表示領域とされる。その動作時には、例えばデータ線、走査線等の配線を介して、画素スイッチング用ＴＦＴ等の電子素子に、画像信号、走査信号等が供給される。そして、画像信号等が電子素子から選択的に画素電極に供給されることでマトリクス駆動が行われる。即ち、複数の画素電極がマトリクス状に平面配列された画像表示領域における画像表示が行われる。このように構成したＴＦＴアレイ基板は、所定の隙間を介して対向基板と貼り合わされ、これらの基板間に液晶等の電気光学物質が封入される。このようなＴＦＴアレイ基板上の領域のうち、画像表示領域の周辺に位置する周辺領域には、走査信号を供給する走査線駆動回路、画像信号を供給するデータ線駆動回路等の駆動回路部が設けられており、更に、複数の外部回路接続端子及びこれらから駆動回路部へ引き回された画像信号線などを含む複数の引回配線等が設けられている。
【０００３】
【特許文献１】特開平１０−２５３９９０号公報
【発明の開示】
【発明が解決しようとする課題】
【０００４】
しかしながら、周辺領域のうち、基板の法線方向から見て対向基板から張り出した張出領域に、上述の如き駆動回路部、外部回路接続端子、引回配線を形成する必要があり、加えて、張出領域には、マザー基板からの切断時に必要となるマージン領域を確保する必要もある。特に、駆動周波数を高くすることを避けつつ高精細の画像表示を行う目的で既に汎用化されているシリアル−パラレル変換された、或いは相展開された複数の画像信号が供給される型式の電気光学装置においては、これら複数の画像信号を供給するための外部回路接続端子の数及び画像信号線の数も増す。例えば、シリアル−パラレル変換の数或いは相展開数が、２４、４８、９６などの電気光学装置も開発されており、多数の外部回路接続端子及び多数の画像信号線の存在によって、張出領域は、大きくならざるを得ない。このため、画像表示領域とはなり得ない張出領域或いは周辺領域の存在によって、画像表示領域の面積をそのままにしてＴＦＴアレイ基板の小型化ができない、或いは電気光学装置の小型化ができないという技術的問題点がある。
【０００５】
本発明は、上述した問題点に鑑みなされたものであり、画像表示領域の面積をそのまま確保しながら小型化可能である電気光学装置及びその製造方法、並びにそのような電気光学装置を備えた各種電子機器を提供することを課題とする。
【課題を解決するための手段】
【０００６】
本発明の電気光学装置は上記課題を解決するために、一対の第１及び第２基板が貼り合わされてなり、前記第１基板は、その第１辺において平面的に見て前記第２基板より張り出した張出部を有する電気光学装置であって、前記第１基板に、画素領域に配列されており画素電極を夫々有する複数の画素部と、前記画素領域の周辺に位置する周辺領域において、前記第１辺に沿って配置されており前記画素部に画像信号を供給するためのデータ線駆動回路と、前記周辺領域のうち前記張出部上にある領域において前記第１辺に沿って配列された複数の外部回路接続端子と、前記複数の外部回路接続端子から前記データ線駆動回路の周囲に沿って引き回されており前記データ線駆動回路と前記画素領域との間で前記第１辺の方向に配線された第１配線部分を有する画像信号線と、前記画素領域の周囲に沿ったシール領域において前記第１及び第２基板を相互に貼り合わせるシール材と、を備え、前記第１配線部分は少なくとも部分的に、前記シール領域内に配線されていることを特徴とする。
【０００７】
本発明の電気光学装置によれば、その動作時には、データ線駆動回路により画像信号が画素部に供給され、例えば第１及び第２基板間に狭持された液晶等の電気光学物質を各画素部で駆動することで、アクティブマトリクス駆動が行なわれる。尚、このような走査線及びデータ線は、例えば、第１基板上に相互に交差するように且つ夫々複数配線される。また、このような画素部は、例えば、画素電極と、走査線にゲートが接続され且つデータ線から供給される画像信号を走査線から供給される走査信号に応じて画素電極へ選択的に供給する画素スイッチング用のＴＦＴとを有する。
【０００８】
本発明の電気光学装置では特に、第１基板は、その第１辺において平面的に見て第２基板より張り出した張出部を有し、張出部上に複数の外部回路接続端子が第１辺に沿って配列されている。また、データ線駆動回路についても、第１辺に沿って配置されており、例えば、張出部上に配置されている。更に、画像信号線は、第１基板上で平面的に見てデータ線駆動回路及び画素領域間に第１辺に沿って配線された第１配線部分を有する。例えば、このような画像信号線は、シリアル−パラレル変換数に応じて複数本だけ並行或いは横並びに配線されている。但し、第１配線部分は、１本であってもよい。そして、このような画像信号線のうち第１配線部分は少なくとも部分的に、シール材が配置されたシール領域内に配線されている。従って、このような第１配線部分をシール領域よりも画素領域から遠い側に配置する場合と比較して、張出部を小さくすることが可能となる。言い換えれば、外部回路接続端子が配列された張出部について、第１及び第２基板の平面形状を相互に同一に近付けること、即ち第１基板のサイズを相対的に小さくすることが可能となる。
【０００９】
以上の結果、本発明の電気光学装置によれば、電気光学装置における周辺領域を画素領域に対して狭めることが可能となり、画素領域を狭めることなく当該電気光学装置を小型化することが可能となる。そして特に、このような構成とすれば、複数の第１基板となるマザー基板上に複数の電気光学装置を形成した後に切断して個々の電気光学装置にするという汎用的な製造工程において、同一面積内により多くの電気光学装置を形成することが可能となる。同一マザー基板上に当該電気光学装置を数枚や十数枚或いは数十枚配列して製造する場合、例えば第１基板のサイズをコンマ数ｍｍや数ｍｍ程度に僅かに小さくできるだけでも、同一マザー基板上に一列や複数列だけ多く、或いは一行や複数行だけ多く、当該電気光学装置を形成することも可能となり得る。よって、このように第１基板のサイズを僅かに小さくできるだけでも、実用上は、極めて有益であり、その効果は絶大であると言える。
【００１０】
本発明の電気光学装置の一の態様では、前記画像信号は、シリアル−パラレル変換された複数の画像信号であり、前記第１配線部分は、前記複数の画像信号を供給するための複数の第１配線部分であり、前記複数の第１配線部分は夫々、前記シール領域内に配置されている。
【００１１】
この態様によれば、その動作時には、シリアル−パラレル展開された複数の画像信号が、複数の画像信号線を介して同時に供給される。ここで特に、複数の第１配線部分は夫々、シール領域内に配置されているので、第１基板上における領域を、一層有効活用することで、第１基板をより一層小型化することが可能となる。例えば、画像信号は、シリアル−パラレル展開された複数の画像信号であり、画像信号線は、複数の画像信号を供給するための複数の画像信号線である。例えば、３、６、９、１２、２４、４８、９６、…など適当な数ｍに展開された画像信号が、ｍ本の画像信号線から供給される。従って、この数ｍが多い程に、本発明による、第１基板上における領域を有効活用するという効果がより顕著に発揮されることになる。
【００１２】
加えて、本発明の如くに第１配線部分と対向基板とが対向していると、第１配線部分とシール材或いはシール材を介しての対向基板との間の容量によって、画像信号が影響を受ける。しかも、このように複数の画像信号線が存在する、即ち複数の第１配線部分が存在する場合には、複数の第１配線部分で対向基板との間での容量の付き方が変わると、画像信号の系列毎の表示ムラができてしまう可能性がある。しかるに本態様によれば、それら複数の第１配線部分の夫々について、シール領域内に入れることで、表示ムラを低減することが可能となる。
【００１３】
或いは本発明の電気光学装置の他の態様では、シリアル−パラレル変換された複数の画像信号であり、前記第１配線部分は、前記複数の画像信号を供給するための複数の第１配線部分であり、前記複数の第１配線部分は、前記シール領域内に存在する部分の各面積が相互に均等となるように配置されている。
【００１４】
この態様によれば、その動作時には、シリアル−パラレル変換された複数の画像信号が、複数の画像信号線を介して同時に供給される。ここで特に、複数の第１配線部分は少なくとも部分的に、シール領域内に配置されているので、第１基板上における領域を、一層有効活用することで、第１基板をより一層小型化することが可能となる。例えば、シリアル−パラレル展開数ｍが多い程に、本発明による、第１基板上における領域を有効活用するという効果がより顕著に発揮されることになる。
【００１５】
加えて、本発明の如くに第１配線部分と、シール材或いはシール材を介して対向基板とが対向していると、これらの第１配線部分と、シール材或いはシール材を介しての対向基板との間の容量によって、画像信号が影響を受ける。しかも、このように複数の画像信号線が存在する、即ち複数の第１配線部分が存在する場合には、複数の第１配線部分で対向基板との間での容量の付き方が変わると、画像信号の系列毎の表示ムラができてしまう可能性がある。しかるに本態様によれば、複数の第１配線部分を、シール領域内に存在する部分の各面積が相互に均等となるように配置することで、表示ムラを低減することが可能となる。尚、ここにいう、「各面積が相互に均等」或いは「各面積が相互に均等となる」とは、好ましくは、設計上同一面積とし、その相異が製造誤差の範囲内であることを意味する。但し、実践上は、上述の容量の付き方が表示ムラ等の実践上の問題とならない程度にまで等しくすればよいという趣旨である。よって、その範囲は、個々の電気光学装置に対して要求される性能や装置仕様に応じて決まる。従ってここにいう「各面積が相互に均等となる」範囲については、具体的には、実験的、経験的、シミュレーション等により、個々の電気光学装置に対して個別具体的に設定すれば足りる。
【００１６】
本発明の電気光学装置の他の態様では、前記画像信号線は、前記第１配線部分から前記画素領域側に向かって引き出された引出配線部分を更に有し、前記引出配線部分は、少なくとも部分的に、前記シール領域内に配置されていることを特徴とする。
【００１７】
この態様によれば、画像信号線のうち、基板の第１辺に沿った第１配線部分と、これから画素領域側に向かって、例えば第１辺に交わる方向に引き出された引出配線部分との両者が少なくとも部分的に、シール領域内に配置されている。従って、第１基板上における領域を、一層有効活用することで、第１基板をより一層小型化することが可能となる。
【００１８】
本発明の電気光学装置の他の態様では、前記第２基板に、前記複数の画素部が夫々有する前記画素電極に共通に対向するように形成されていると共に前記第１配線部分に対向する領域において切り欠かれている対向電極を備える。
【００１９】
この態様によれば、複数の画素電極及びこれらに対して共通の対向電極間に、縦電界を発生させることで、電気光学物質を画素毎に縦電界駆動することが可能となる。この態様では特に、このような対向電極は、第１配線部分に対向する領域において切り欠かれているので、切り欠かれていない場合に概ね基板間ギャップを介して対向配置され得る、即ちコンデンサ構造を構築し得る第１配線部分と対向電極とを、実際には対向させないで済む。従って、画像信号線と対向電極との間の容量によって、画像信号が対向電極電位の影響を受ける、或いは、対向電極電位が画像信号の影響を受けることを効果的に防止できる。この結果、より一層高品位の画像表示が可能となる。
【００２０】
この対向電極に係る態様では、前記画像信号は、シリアル−パラレル変換された複数の画像信号であり、前記第１配線部分は、前記複数の画像信号を供給するための複数の第１配線部分であり、前記対向電極は、前記複数の第１配線部分に対向する領域には夫々部分的に対向しないように且つ前記複数の第１配線部分に対向する部分の各面積が相互に均等となるように、切り欠かれているように構成してもよい。
【００２１】
このように構成すれば、複数の第１配線部分と対向電極とは部分的に対向しているため、第１配線部分と対向電極との間の容量によって、画像信号が対向電極電位の影響を受ける、或いは、対向電極電位が画像信号の影響を受ける。しかしながら、シリアル−パラレル展開された複数の画像信号に係る系列別の容量の差異は、殆ど無いので、画像信号の系列毎の表示ムラを殆ど発生させないようにできる。この結果、対向電極を極端に後退させる必要なしに、高品位の画像表示が可能となる。尚、ここにいう、「各面積が相互に均等」或いは「各面積が相互に均等となる」とは、好ましくは、設計上同一面積とし、その相異が製造誤差の範囲内であることを意味する。但し、実践上は、上述の容量の付き方が表示ムラ等の実践上の問題とならない程度にまで等しくすればよいという趣旨である。よって、その範囲は、個々の電気光学装置に対して要求される性能や装置仕様に応じて決まる。従ってここにいう「各面積が均等となる」範囲については、具体的には、実験的、経験的、シミュレーション等により、個々の電気光学装置に対して個別具体的に設定すれば足りる。
【００２２】
この対向電極に係る態様では、前記第１基板に、前記対向電極に対向電極電位を供給するための上下導通端子を更に備え、前記対向電極は、その切り欠かれている部分の脇において、前記上下導通端子に対向する領域にまで延在しており、前記第１及び第２基板間に、前記上下導通端子と前記対向電極における延在している部分とを電気的に相互接続する上下導通材を更に備えてもよい。
【００２３】
このように構成すれば、上下導通端子の位置を従来同様の第２基板の四隅において、少なくとも第１基板の第１辺に沿った第２基板の第１辺の片端又は両端におけるニ隅において、上下導通材及び対向電極における延在している部分を介して、上下導通端子と対向電極との間における上下導通をとることが可能となる。尚、このような上下導通端子は、例えば、引回配線のうち、外部回路接続端子から対向電極電位を供給するための配線に接続されている。
【００２４】
本発明の電気光学装置の他の態様では、前記シール材には、前記第１及び第２基板間の基板間ギャップを規定するためのギャップ材が混入されており、前記第１基板上において、前記第１配線部分の上層側に配置された膜に対して、平坦化処理が施されている。
【００２５】
この態様によれば、シール材内に混入された、例えばビーズ状やファイバー状のギャップ材によって、基板間ギャップを制御できる。この際、液晶等の電気光学物質内にギャップ材を混入しないで済み、また画素領域内に貝柱状のギャップ材を作り込む必要も無い。しかも、第１配線部分の上層側に配置された膜に対して、平坦化処理が施されているので、画像信号線の存在に起因する凹凸が第１基板の表面に存在するままで基板間ギャップを制御する場合と比較して、ギャップ材により、基板間ギャップを高精度で制御できる。ここでは例えば、ＣＭＰ（化学的機械研磨）処理や、熱処理によるリフローによって、上層側の膜は、平坦化されている。或いは、スピンコートにより上層側の膜が形成されていてもよい。更には、これらに代えて又は加えて、下層側に配置された膜や第１基板の基板本体に凹部を形成して、第１配線部分を少なくとも部分的に埋め込む或いは沈み込めることで、上層側の膜に対して平坦化処理が施されていてもよい。
【００２６】
この態様では、前記第１基板上に、前記画像信号線を介して供給される前記画像信号を、前記データ線駆動回路から供給されるサンプリング回路駆動信号に応じてサンプリングして、前記データ線に供給するサンプリング回路を更に備え、前記データ線駆動回路は、前記周辺領域のうち、前記シール領域よりも前記画素領域から遠い側の領域に配置されており、前記サンプリング回路は、前記周辺領域のうち、前記シール領域よりも前記画素領域に近い側に配置されているように構成してもよい。
【００２７】
このように構成すれば、その動作時には、データ線駆動回路からサンプリング回路駆動信号線を介してサンプリング回路駆動信号をサンプリング回路に供給しつつ、画像信号線を介して画像信号をサンプリング回路に供給することで、データ線に対する画像信号の提供を所定タイミングで行うことが可能となり、高周波数駆動によるアクティブマトリクス駆動が可能となる。ここで特に、データ線駆動回路は、シール領域よりも遠い側の領域に配置されており、サンプリング回路は、シール領域よりも近い側に配置されているので、製造工程中に第１及び第２基板を貼り合わせる際に、シール材に対して作用する圧縮力によって、データ線駆動回路を構成するＴＦＴ等の回路素子やサンプリング回路を構成するＴＦＴ等の回路素子にダメージを与える事態を未然防止できる。従って、実用上も大変有利である。
【００２８】
本発明の電子機器は上記課題を解決するために、上述した本発明の電気光学装置（但し、その各種態様を含む）を具備してなる。
【００２９】
本発明の電子機器は、上述した本発明の電気光学装置を具備してなるので、高品位の画像を表示可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置など、各種電子機器を実現できる。
【００３０】
本発明の電気光学装置の製造方法は上記課題を解決するために、一対の第１及び第２基板が貼り合わされてなり、前記第１基板は、その第１辺において平面的に見て前記第２基板より張り出した張出部を有する電気光学装置を製造する電気光学装置の製造方法であって、前記第１基板に、画素領域に配列されており画素電極を夫々有する複数の画素部と、前記画素領域の周辺に位置する周辺領域において前記第１基板の前記第１辺に隣接する少なくとも一つの第２辺に沿って配置されており走査線を介して前記画素部を駆動するための走査線駆動回路と、前記周辺領域において前記第１辺に沿って配置されておりデータ線を介して前記画素部を駆動するためのデータ線駆動回路と、前記周辺領域のうち前記張出部上にある領域において前記第１辺に沿って配列された複数の外部回路接続端子と、前記複数の外部回路接続端子から引き回されており前記第１基板上で平面的に見て前記データ線駆動回路及び前記画素領域間に前記第１辺に沿って配線された第１配線部分を有する画像信号線を含む複数の引回配線とを形成する形成工程と、前記周辺領域のうち前記画素領域の周囲に沿ったシール領域において、シール材で、前記第１及び第２基板を相互に貼り合わせる貼合工程とを備え、前記形成工程は、前記第１配線部分を少なくとも部分的に、前記シール領域内に形成する。
【００３１】
本発明の電気光学装置の製造方法によれば、上述した本発明の電気光学装置を比較的容易にして製造することが可能である。尚、本発明の電気光学装置の製造方法において、上述した本発明の電気光学装置の各種態様に対応する各種態様を採ることが可能である。
【００３２】
本発明のこのような作用及び他の利得は次に説明する実施の形態から明らかにされる。
【発明を実施するための最良の形態】
【００３３】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００３４】
＜第１実施形態＞
第１実施形態に係る液晶装置について、図１から図８を参照して説明する。
【００３５】
先ず、図１及び図２を参照して、本実施形態に係る液晶装置の全体構成について、説明する。ここに図１は、本実施形態に係る液晶装置の構成を示す平面図であり、図２は、図１のＨ−Ｈ'線での断面図である。
【００３６】
図１及び図２において、本実施形態に係る液晶装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画素領域（以下、画像表示領域という）１０ａの周囲に位置するシール領域５２ａに設けられたシール材５２により相互に接着されている。
【００３７】
図１において、シール材５２が配置されたシール領域５２ａの内側に並行して、画像表示領域１０ａの額縁領域を規定する遮光性の額縁遮光膜５３が、対向基板２０側に設けられている。周辺領域のうち、シール材５２が配置されたシール領域５２ａの外側に位置する領域には、データ線駆動回路１０１及び外部回路接続端子１０２がＴＦＴアレイ基板１０の一辺に沿って設けられている。この一辺に沿ったシール領域５２ａよりも内側に、サンプリング回路３０１が額縁遮光膜５３に覆われるようにして設けられている。また、走査線駆動回路１０４は、この一辺に隣接する２辺に沿ったシール領域５２ａの内側に、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３８】
図２において、ＴＦＴアレイ基板１０上には、駆動素子である画素スイッチング用のＴＦＴ（Thin Film Transistor）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００３９】
次に図３から図５を参照して、データ線駆動回路と、外部回路接続端子から引き回される画像信号線との平面レイアウトの詳細について説明する。ここに図３は、本実施形態に係る液晶装置のうち図１の円領域Ｌ１２を拡大して示した部分平面図である。図４は、データ線駆動回路及びサンプリング回路に係る回路構成の概略を引回配線と共に示す回路図である。図５は、上下導通端子から対向電極電位が供給される対向電極と画素回路とに係る回路構成の概略を示す回路図である。
【００４０】
図３に示すように、本実施形態では特に、ＴＦＴアレイ基板１０は、その第１辺(図３中、下辺)において、平面的に見て対向基板２０より張り出した張出部１０ｅを有し、張出部１０ｅ上にある領域に、第１辺に沿って複数の外部回路接続端子１０２を備える。複数の外部回路接続端子１０２は、画像信号を供給するための画像信号用端子１０２ａ、走査線駆動回路１０４に、クロック信号、反転クロック信号、スタートパルス信号、走査方向制御信号、電源信号、その他の特殊制御信号等の各種信号を供給するための走査線駆動回路用端子１０２ｂ、及び上下導通端子１０６に対向電極電位或いは共通電位を供給するための対向電極電位用端子１０２ｃとを含む。尚、複数の外部回路接続端子１０２は、その他にも、データ線駆動回路１０１に、クロック信号、反転クロック信号、スタートパルス信号、走査方向制御信号、電源信号、その他の特殊制御信号等の各種信号を供給するための、不図示のデータ線駆動回路用端子、検査用の端子等も含む。
【００４１】
走査線駆動回路１０４は、第２辺（図３中、左辺）に沿って配置されており、走査線駆動回路用端子１０２ｂからは、走査線駆動回路用引回配線１１８が走査線駆動回路１０４まで引き回されている。
【００４２】
対向電極用端子１０２ｃからは、対向電極用引回配線７１が上下導通端子１０６まで引き回されており、更に、第２辺にそって他の上下導通端子１０６まで引き回されている。
【００４３】
データ線駆動回路１０１は、第１辺に沿って配置されており、不図示のデータ線駆動回路用端子からデータ線駆動回路用引回配線がデータ線駆動回路１０１まで引き回されている。
【００４４】
画像信号用端子１０２ａからは、画像信号線１１５が、データ線駆動回路１０１の周囲に沿って引き回されている。画像信号線１１５からは、引出配線部分１１６がサンプリング回路３０１へと配線されている。他方、データ線駆動回路１０１からは、サンプリング回路駆動信号線１１７が、サンプリング回路３０１へと配線されている。
【００４５】
これらデータ線駆動回路１０１及びサンプリング回路３０１に係る回路構成や、引回配線等による電気的な接続関係は、図４に示した通りである。
【００４６】
即ち図４に示すように、画像信号線１１５からの分岐配線１１６は、サンプリング回路３０１を構成するＴＦＴ等からなるサンプリングスイッチ３０２のソースに接続されており、データ線駆動回路１０１からのサンプリング回路駆動信号線１１７は、サンプリングスイッチ３０２のゲートに接続されている。よって、電気光学装置の動作時には、外部回路から画像信号用端子１０２ａに印加される画像信号は、画像信号線１１５からの分岐配線１１６を経てサンプリング回路３０１へ供給される。ここで、サンプリング回路３０１へ供給される画像信号は、６相にシリアル−パラレル展開された画像信号ＶＩＤ１〜ＶＩＤ６として、６本のデータ線６ａの組に対して、組毎にパラレル或いは並列に、サンプリング回路３０１に供給される。そして、画像信号は、データ線駆動回路１０１からサンプリング回路駆動信号線１１７を経て供給される、シフトレジスタ出力に基づくサンプリング回路駆動信号に応じたタイミングで、サンプリングされる。この際、画像信号ＶＩＤ１〜ＶＩＤ６が６相にシリアル−パラレル変換されている画像信号であるので、データ線駆動回路１０１は、サンプリング回路駆動信号を夫々、その最終段において６つに分岐することで、６本のデータ線６ａの組に対応する６個のサンプリングスイッチ３０２の組に対して同時に供給する。そして、６本のデータ線６ａの組毎に同時にサンプリングされた画像信号は、各データ線６ａに供給されることになる。
【００４７】
また、このような動作時には、外部回路から対向電極用端子１０２ｃに印加される対向電極電位ＬＣＣＯＭは、対向電極用引回配線７１及び上下導通端子１０６を介して、対向電極２１へと供給されることになる。
【００４８】
図５に示すように、上述のように対向電極電位ＬＣＣＯＭが供給される対向電極２１は、液晶層５０を挟んで画素電極９ａと対向配置されており、液晶容量５０ａを構築している。ここで、各画素部には、上述のように画像信号が供給されるデータ線６ａが、そのソースに接続された画素スイッチング用ＴＦＴ３０を有する。このＴＦＴ３０のゲートには、走査線駆動回路１０４（図１から図３参照）から走査信号が供給される走査線３ａが接続されている。従って、走査線３ａを介して走査信号が供給されるタイミングで、ＴＦＴ３０が導通状態とされることで、データ線６ａ及びＴＦＴ３０のソースドレイン間を介して画素電極９ａに画像信号が書き込まれることになる。尚、液晶容量５０ａにおける電位の保持特性を高めるために、液晶容量５０ａと並列に蓄積容量７０が構築されている。
【００４９】
このような蓄積容量７０は、所定電位を供給する容量線３００の一部又はこれに接続された固定電位側容量電極と、画素電極９ａに接続された画素電位側容量電極とが誘電体膜を介して対向配置されることで、構築される。
【００５０】
このように構成されているため、本実施形態に係る液晶装置は、その動作時には、走査線駆動回路１０４により走査線３ａを介して走査信号が画素部に供給され、データ線駆動回路１０１によりデータ線６ａを介して画像信号が画素部に供給され、各画素部におけるアクティブマトリクス駆動が行なわれるのである。
【００５１】
再び図３において、本実施形態では特に、ＴＦＴアレイ基板１０は、その第１辺（図３中、下辺）において平面的に見て対向基板２０より張り出した張出部１０ｅを有し、張出部１０ｅ上に複数の外部回路接続端子１０２が第１辺に沿って配列されている。また、データ線駆動回路１０１についても、第１辺に沿って配置されており、張出部１０ｅ上に配置されている。更に、画像信号線１１５は、ＴＦＴアレイ基板１０上で平面的に見てデータ線駆動回路１０１及び画像表示領域１０ａ間に第１辺に沿って配線された第１配線部分Ｌ１を有する。画像信号線１１５は、シリアル−パラレル展開数に応じて６本が並行或いは横並びに配線されている。但し、第１配線部分Ｌ１は、１本であってもよい。そして、画像信号線１１５のうち第１配線部分Ｌ１は少なくとも部分的に、シール材５２が配置されたシール領域５２ａ内に配線されている。
【００５２】
ここで図６に示した本実施形態に係る比較例と比較することで、上述の如く構成された本実施形態の作用効果について検討する。ここに図６は、本実施形態の比較例における図３と同趣旨の部分平面図である。
【００５３】
図６に示す比較例では、画像信号線１１５のうち第１配線部分Ｌ１は、シール材５２が配置されたシール領域５２ａよりも画像表示領域１０ａから遠い側に配置されている。言い換えれば、第１配線部分Ｌ１は、シール領域５２ａ内には配線されていない。その他の構成については、図３に示した実施形態と概ね同様である。このため、比較例においては、張出部１０ｅについて、ＴＦＴアレイ基板１０及び対向基板２０の平面形状を相互に同一に近付けること、即ちＴＦＴアレイ基板１０のサイズを相対的に小さくことができていない。
【００５４】
図３に示した本実施形態の液晶装置では、図６の比較例に比べて、ＴＦＴアレイ基板１０の幅をΔＷだけ狭めることができ、これにより、張出部１０ｅを小さくすることが可能となるのである。言い換えれば、外部回路接続端子１０２が配列された張出部１０ｅについて、ＴＦＴアレイ基板１０及び対向基板２０の平面形状を相互に同一に近付けること、即ちＴＦＴアレイ基板１０のサイズを相対的に小さくすることが可能となるのである。
【００５５】
以上の結果、本実施形態によれば、液晶装置における周辺領域を画像表示領域１０ａに対して狭めることが可能となり、画像表示領域１０ａを狭めることなく当該液晶装置を小型化することが可能となる。そして特に、このような構成とすれば、複数のＴＦＴアレイ基板１０となるマザー基板上に複数の液晶装置を形成した後に切断して個々の液晶装置にするという汎用的な製造工程において、同一面積内により多くの液晶装置を形成することが可能となる。同一マザー基板上に当該液晶装置を数枚や十数枚或いは数十枚配列して製造する場合、例えばＴＦＴアレイ基板のサイズをコンマ数ｍｍや数ｍｍ程度に僅かに小さくできるだけでも、同一マザー基板上に一列や複数列だけ多く、或いは一行や複数行だけ多く、当該液晶装置を形成することも可能となり得る。よって、このようにＴＦＴアレイ基板１０のサイズを僅かに小さくできるだけでも、実用上は、極めて有益であり、その効果は絶大であると言える。
【００５６】
図３及び図４において、本実施形態では、画像信号は、シリアル−パラレル変換された６つの画像信号ＶＩＤ１〜ＶＩＤ６であり、６つの画像信号ＶＩＤ１〜ＶＩＤ６を供給するための６つの第１配線部分Ｌ１は夫々、シール領域５２ａ内に配置されている。
【００５７】
このため、その動作時には、シリアル−パラレル変換された６つの画像信号ＶＩＤ１〜ＶＩＤ６が、６本の画像信号線１１５を介して同時に供給される。ここで特に、６つの第１配線部分Ｌ１は夫々、シール領域５２ａ内に配置されているので、ＴＦＴアレイ基板１０上における領域を、一層有効活用することで、ＴＦＴアレイ基板１０をより一層小型化することが可能となる。
【００５８】
特に、図６の比較例では、相展開数を６としてある、即ち６本の画像信号線が横並びに配列されているだけである。しかしながら実際には、例えば相展開数が９、１２、２４、４８、９６…など、即ち９、１２、２４本、４８本、９６本…などの画像信号線が横並びに配列される場合もある。従って、このようにシール領域とデータ線駆動回路との間に配列された多数の画像信号線が占める平面領域は、データ線駆動回路等が占める平面領域等と比較しても無視し得ない程度に大きくなってしまうのである。即ち、本実施形態の構成は、相展開数が多くなればなる程、比較例と比べて顕著に有利となる。
【００５９】
加えて、本実施形態のように第１配線部分Ｌ１と対向基板２０とが対向していると、第１配線部分Ｌ１とシール材５２或いはシール材５２を介しての対向基板２０との間の容量によって、画像信号ＶＩＤ１〜ＶＩＤ６が影響を受ける。しかも、このように複数の画像信号線１１５が存在する、即ち複数の第１配線部分Ｌ１が存在する場合には、複数の第１配線部分Ｌ１で対向基板２０との間での容量の付き方が変わると、画像信号ＶＩＤ１〜ＶＩＤ６の系列毎の表示ムラができてしまう可能性がある。しかるに本実施形態によれば、それら複数の第１配線部分Ｌ１の夫々について、シール領域５２ａ内に入れることで、即ち複数の第１配線部分Ｌ１で対向基板２０との間での容量の付き方を配線間で相互に近付けることで、表示ムラを低減することが可能となる。
【００６０】
より好ましくは、６つの第１配線部分Ｌ１は、シール領域５２ａ内に存在する部分の各面積が相互に均等となるように配置される。このように構成すれば、複数の第１配線部分Ｌ１で対向基板２０との間での容量の付き方が変わることによる画像信号ＶＩＤ１〜ＶＩＤ６の系列毎の表示ムラを低減することが可能となる。尚、ここにいう「各面積が相互に均等となる」範囲については、具体的には、実験的、経験的、シミュレーション等により、個々の液晶装置に対して個別具体的に設定すればよい。
【００６１】
本実施形態では、画像信号線１１５は、データ線６ａに対応して第１配線部分Ｌ１から画像表示領域１０ａ側に向かって引出配線部分１１６を更に有する。また、画像信号線１１５のうち、ＴＦＴアレイ基板１０の第１辺に沿った第１配線部分Ｌ１と、これから画像表示領域１０ａ側に向かって、第１辺に交わる方向に引き出された引出配線部分１１６との両者が少なくとも部分的に、シール領域５２ａ内に配置されている。従って、ＴＦＴアレイ基板１０上における領域を、一層有効活用することで、ＴＦＴアレイ基板１０をより一層小型化することが可能となる。
【００６２】
尚、このような引出配線部分１１６は、第１配線部分Ｌ１から引き出されてサンプリング回路３０１へ至る。従って、この場合には、サンプリング回路駆動信号線１１７についても、引出配線部分１１６と横並びにシール領域５２ａ内に、少なくとも部分的に配置されることになる。
【００６３】
再び図３において、本実施形態では、シール材５２には、ＴＦＴアレイ基板１０及び対向基板２０間の基板間ギャップを規定するためのギャップ材が混入されており、ＴＦＴアレイ基板１０上において、第１配線部分Ｌ１の上層側に配置された膜に対して、平坦化処理が施されている。
【００６４】
従って、シール材５２内に混入された、ビーズ状やファイバー状のギャップ材によって、基板間ギャップを制御できる。この際、液晶内にギャップ材を混入しないで済み、また画像表示領域１０ａ内に貝柱状のギャップ材を作り込む必要も無い。しかも、第１配線部分Ｌ１の上層側に配置された膜に対して、平坦化処理が施されているので、画像信号線１１５の存在に起因する凹凸がＴＦＴアレイ基板１０の表面に存在するままで基板間ギャップを制御する場合と比較して、ギャップ材により、基板間ギャップを高精度で制御できる。加えて、シール領域５２a内に配線された画像信号線１１５や引出配線部分１１６等が、例えば両基板の貼合工程の際に基板表面の凹凸の存在により圧力が集中する箇所で、断線やショートする可能性を、このように基板表面を平坦化することで低減できる。
【００６５】
ここでは、ＣＭＰ（化学的機械研磨）処理や、熱処理によるリフローによって、上層側の膜は、平坦化されている。或いは、スピンコートにより上層側の膜が形成されていてもよい。更には、これらに代えて又は加えて、下層側に配置された膜やＴＦＴアレイ基板１０の基板本体に凹部を形成して、第１配線部分Ｌ１を少なくとも部分的に埋め込む或いは沈み込めることで、上層側の膜に対して平坦化処理が施されていてもよい。
【００６６】
図３において、本実施形態では、ＴＦＴアレイ基板１０上に、画像信号線１１５を介して供給される画像信号ＶＩＤ１〜ＶＩＤ６を、データ線駆動回路１０１から供給されるサンプリング回路駆動信号に応じてサンプリングして、データ線６ａに供給するサンプリング回路３０１を更に備え、データ線駆動回路１０１は、周辺領域のうち、シール領域５２ａよりも画像表示領域１０ａから遠い側の領域に配置されており、サンプリング回路３０１は、周辺領域のうち、シール領域５２ａよりも画像表示領域１０ａに近い側に配置されている。
【００６７】
このため、その動作時には、データ線駆動回路１０１からサンプリング回路駆動信号線１１７を介してサンプリング回路駆動信号をサンプリング回路３０１に供給しつつ、画像信号線１１５を介して画像信号ＶＩＤ１〜ＶＩＤ６をサンプリング回路３０１に供給することで、データ線６ａに対する画像信号ＶＩＤ１〜ＶＩＤ６の提供を所定タイミングで行うことが可能となり、高周波数駆動によるアクティブマトリクス駆動が可能となる。ここで特に、データ線駆動回路１０１は、シール領域５２ａよりも遠い側の領域に配置されており、サンプリング回路３０１は、シール領域５２ａよりも近い側に配置されているので、製造工程中にＴＦＴアレイ基板１０及び対向基板２０を貼り合わせる際に、シール材５２に対して作用する圧縮力によって、データ線駆動回路１０１を構成するＴＦＴ等の回路素子やサンプリング回路３０１を構成するＴＦＴ等の回路素子にダメージを与える事態を未然防止できる。従って、実用上も大変有利である。
【００６８】
また、対向基板２０に、画像表示領域１０ａの額縁を規定する額縁遮光膜５３を更に備え、サンプリング回路３０１は、周辺領域のうち額縁遮光膜５３が形成された額縁領内に少なくとも部分的に配置されている。このため、シール領域５２ａの内側に位置する額縁領域を利用して、サンプリング回路３０１を形成する領域を確保可能となる。よって、シール領域５２ａの内側に配置されたサンプリング回路３０１の存在によって、画像表示領域１０ａが小さくなることを効果的に防止できる。尚、このような額縁遮光膜は、ＴＦＴアレイ基板１０及び対向基板２０の少なくとも一方に配置されていればよい。
【００６９】
＜第２実施形態＞
次に、第２実施形態に係る液晶装置について、図７及び図８を参照して説明する。ここに図７は、第２実施形態おける図３と同趣旨の平面図である。図８は、図７のＡ−Ａ'線での断面図である。尚、図７及び図８において、図３に示した第１実施形態に係る構成要素と同様の構成要素に同一の参照符合を付し、それらの説明は適宜省略する。
【００７０】
図７及び図８において、本実施形態に係る液晶装置では、対向電極２１は、対向基板２０に、複数の画素部が夫々有する画素電極９ａ（図２参照）に共通に対向するように形成されていると共に第１配線部分Ｌ１に対向する領域の切り欠き部分Ｒ１において切り欠かれている。
【００７１】
第１配線部分Ｌ１は、ＴＦＴアレイ基板１０上の第１層間絶縁膜４１上に形成されている。それらの上に第２層間絶縁膜４２が形成されている。
【００７２】
本実施形態によれば、複数の画素電極９ａ（図２参照）及びこれらに対して共通の対向電極２１間に、縦電界を発生させることで、液晶を画素毎に縦電界駆動する。本実施形態では特に、このような対向電極２１は、第１配線部分Ｌ１に対向する領域の切り欠き部分Ｒ１において切り欠かれているので、切り欠かれていない場合に概ね基板間ギャップを介して対向配置され得る、即ちコンデンサ構造を構築し得る第１配線部分Ｌ１と対向電極２１とは、実際には対向しない。従って、画像信号線１１５と対向電極２１との間の容量によって、画像信号ＶＩＤ１〜ＶＩＤ６が対向電極電位の影響を受ける、或いは、対向電極電位が画像信号ＶＩＤ１〜ＶＩＤ６の影響を受けることを効果的に防止できる。この結果、より一層高品位の画像表示が可能となる。
【００７３】
尚、本実施形態では好ましくは、対向電極２１は、第１配線部分Ｌ１に対向する領域には全く対向しないように切り欠かれている。或いは、切り欠き部分Ｒ１を大きくして、平面的に見て対向電極２１における第１配線部分Ｌ１に最も近い部分を、第１配線部分Ｌ１から、適当な距離だけ後退させるように構成してもよい。
【００７４】
つまり、切り欠き部Ｒ１を形成する際には、例えば、対向基板２０のほぼ全面に形成される対向電極２１のうち、第１配線部Ｌ１に対向する矩形状の領域を切り欠き、画素電極９ａに対向する領域と、上下導通端子１０６に対向する領域とが残るようにすればよい。
【００７５】
図７において、本実施形態では、ＴＦＴアレイ基板１０に、対向電極２１に対向電極電位を供給するための上下導通端子１０６を更に備えている。対向電極２１は、その切り欠き部分Ｒ１の脇において、上下導通端子１０６に対向する領域にまで延在している対向電極延在部分２１ｅを有する。ＴＦＴアレイ基板１０及び対向基板２０間に、上下導通端子１０６と対向電極２１における対向電極延在部分２１ｅとを電気的に相互接続する上下導通材１０７を更に備えてもよい。
【００７６】
このように構成すれば、上下導通端子１０６の位置を従来同様の対向基板２０の四隅において、少なくともＴＦＴアレイ基板１０の第１辺に沿った対向基板２０の第１辺の片端又は両端におけるニ隅において、上下導通材１０７及び対向電極２０における対向電極延在部分２１ｅを介して、上下導通端子１０６と対向電極２１との間における上下導通をとることが可能となる。尚、このような上下導通端子１０６は、外部回路接続端子１０２から対向電極電位を供給するための対向電極用引回配線７１に接続されている。
【００７７】
（変形例）
図９に変形例として示すように、対向電極２１は、複数の第１配線部分Ｌ１に対向する領域には夫々部分的に対向しないように且つ複数の第１配線部分Ｌ１に対向する部分の各面積が相互に均等となるように、切り欠き部分Ｒ２が切り欠かれているようにしてもよい。ここに図９は、変形例における図７と同趣旨の図である。尚、図９において、図３に示した第１実施形態に係る構成要素と同様の構成要素に同一の参照符合を付し、それらの説明は適宜省略する。
【００７８】
このようにすれば、複数の第１配線部分Ｌ１と対向電極２１とは部分的に対向しているため、第１配線部分Ｌ１と対向電極２１との間の容量によって、画像信号ＶＩＤ１〜ＶＩＤ６が対向電極電位の影響を受ける、或いは、対向電極電位が画像信号ＶＩＤ１〜ＶＩＤ６の影響を受ける。しかしながら、シリアル−パラレル展開された複数の画像信号ＶＩＤ１〜ＶＩＤ６に係る系列別の容量の差異は、殆ど無いので、画像信号の系列毎の表示ムラを殆ど発生させない。この結果、対向電極２１を極端に後退させる必要なしに、高品位の画像表示が可能となる。尚、ここにいう「各面積が相互に均等となる」範囲については、具体的には、実験的、経験的、シミュレーション等により、個々の液晶装置に対して個別具体的に設定すれば足りる。
【００７９】
（第３実施形態）
次に、第３実施形態に係る液晶装置の製造方法について、図２、図３及び図１０を参照して説明する。図１０は、本実施形態に係る液晶装置の製造方法を示すフローチャートである。
【００８０】
図１０に示すように、本実施形態に係る液晶装置の製造方法によれば、先ず、形成工程において（ステップＳ１０）、ＴＦＴアレイ基板１０については、成膜処理、パターニング処理、不純物ドープ処理、高温処理等に係る各種処理を含む工程によって、画素部、データ線駆動回路１０１、走査線駆動回路１０４等を含む周辺回路、外部回路接続端子１０２、画像信号線１１５を含む引回配線等が形成される（ステップＳ１０ａ）。
【００８１】
この際、複数の画素部は、画像表示領域１０ａに配列される。走査線３ａを介して画素部を駆動するための走査線駆動回路１０４は、画像表示領域１０ａの周辺に位置する周辺領域においてＴＦＴアレイ基板１０の第１辺（図３中、下辺）に隣接する少なくとも一つの第２辺に沿って配置される。データ線３ａを介して画素部を駆動するためのデータ線駆動回路１０１は、周辺領域において第１辺に沿って配置される。複数の外部回路接続端子１０２は、周辺領域のうち張出部１０ｅ上にある領域において第１辺に沿って配列される。
【００８２】
他方、このようなＴＦＴアレイ基板１０の形成工程と相前後して或いは並行に、対向基板２０については、成膜処理、パターニング処理、不純物ドープ処理、高温処理等に係る各種処理を含む工程によって、対向電極２１等が形成される（ステップＳ１０ｂ）。
【００８３】
その後、貼合工程によって、ＴＦＴアレイ基板１０及び対向基板２０間に液晶層５０が挟持され、ＴＦＴアレイ基板１０は、その第１辺において平面的に見て対向基板２０より張り出した張出部１０ｅを有するように形成される（ステップＳ２０）。
【００８４】
ここで特に、形成工程（ステップＳ１０ａ）では、画像信号線１１５のうち第１配線部分Ｌ１は少なくとも部分的に、シール領域５２ａ内に形成される。加えて、形成工程（ステップＳ１０ａ）で、ＴＦＴアレイ基板１０の表面を平坦化することで、その後に実施される貼合工程（ステップＳ２０）において、シール領域５２a内に配線された画像信号線１１５や引出配線部分１１６等が断線やショートする可能性を低減している。
【００８５】
従って、本実施形態に係る液晶装置の製造方法によれば、上述した第１及び第２実施形態に係る液晶装置を比較的容易にして製造することが可能である。尚、本実施形態の液晶装置の製造方法において、上述した第１及び第２実施形態に係る液晶装置の各種態様に対応する各種態様を採ることも可能である。
【００８６】
＜電子機器＞
次に、上述した電気光学装置である液晶装置を各種の電子機器に適用する場合について説明する。
【００８７】
まず、この液晶装置をライトバルブとして用いたプロジェクタについて説明する。図１１は、プロジェクタの構成例を示す平面図である。この図１１に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００８８】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００８９】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００９０】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００９１】
次に、液晶装置を、モバイル型のパーソナルコンピュータに適用した例について説明する。図１２は、このパーソナルコンピュータの構成を示す斜視図である。図１２において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００９２】
さらに、液晶装置を、携帯電話に適用した例について説明する。図１３は、この携帯電話の構成を示す斜視図である。図１３において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００９３】
尚、図１１から図１３を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００９４】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ等にも適用可能である。
【００９５】
本発明は、上述した実施形態に限られるものではなく、請求の範囲及び明細書全体から読み取れる発明の要旨或いは思想に反しない範囲で適宜変更可能であり、そのような変更を伴う電気光学装置、該電気光学装置を備えてなる電子機器及び該電気光学装置の製造方法もまた本発明の技術的範囲に含まれるものである。
【図面の簡単な説明】
【００９６】
【図１】本発明の第１実施形態に係る、電気光学装置の全体構成を示す平面図である。
【図２】図１のＨ−Ｈ'の断面図である。
【図３】図１のＬ１２で示す領域を拡大して示す部分平面図である。
【図４】第１実施形態に係る、データ線駆動回路及びサンプリング回路に係る回路構成の概略を引回配線と共に示す回路図である。
【図５】第１実施形態に係る、上下導通端子から対向電極電位が供給される対向電極と画素回路とに係る回路構成の概略を示す回路図である。
【図６】第１実施形態の比較例における図３と同趣旨の部分平面図である。
【図７】第２実施形態における図３と同趣旨の平面図である。
【図８】図７のＡ−Ａ'線の断面図である。
【図９】変形例における図７と同趣旨の平面図である。
【図１０】本実施形態に係る液晶装置の製造方法を示すフローチャートである。
【図１１】電気光学装置を適用した電子機器の一例たるプロジェクタの構成を示す平面図である。
【図１２】電気光学装置を適用した電子機器の一例たるパーソナルコンピュータの構成を示す斜視図である。
【図１３】電気光学装置を適用した電子機器の一例たる携帯電話の構成を示す斜視図である。
【符号の説明】
【００９７】
９ａ…画素電極、３ａ…走査線、６ａ…データ線、１０…ＴＦＴアレイ基板、１０ａ…画像表示領域、１０ｅ…張出部、２０…対向基板、２１…対向電極、２１ｅ…対向電極延在部分、２３…遮光膜、３０…画素スイッチング用ＴＦＴ、５０…液晶層、５２…シール材、５２ａ…シール領域、５３…額縁遮光膜、７１…対向電極用引回配線、１０１…データ線駆動回路、１０２、１０２ａ、１０２ｂ、１０２ｃ…外部回路接続端子、１０４…走査線駆動回路、１０６…上下導通端子、１０７…上下導通材、１１５…画像信号線、１１６…引出配線部分、１１７…サンプリング回路駆動信号線、１１８…走査線駆動回路用配線、３０１…サンプリング回路、３０２…サンプリングスイッチ、Ｌ１…第１配線部分、ＬＣＣＯＭ…対向電極電位、Ｒ１、Ｒ２…切り欠き部分、ＶＩＤ１〜ＶＩＤ６…画像信号。
【図１】
2006259691.tif 000003
【図２】
2006259691.tif 000004
【図３】
2006259691.tif 000005
【図４】
2006259691.tif 000006
【図５】
2006259691.tif 000007
【図６】
2006259691.tif 000008
【図７】
2006259691.tif 000009
【図８】
2006259691.tif 000010
【図９】
2006259691.tif 000011
【図１０】
2006259691.tif 000012
【図１１】
2006259691.tif 000013
【図１２】
2006259691.tif 000014
【図１３】
2006259691.tif 000015